(57)【特許請求の範囲】
【請求項１】
１つの第１管状部分(２)及び少なくとも１つの第２管状部分(３;４３)を備える、開閉ドア又は窓枠用蝶番(１)であって、それぞれが、
ドア又は窓の、可動枠(Ｆ)及び固定枠(Ｍ)にそれぞれに固定するための羽根部分(５,８;４４)と、
それらが回転可能なように前記第１管状部分(２)及び第２管状部分(３;４３)を連結するピン(４)と、
上記第１管状部分(２)及び第２管状部分(３;４３)の間に、ドア又は窓の主面に対して平行方向の調整を行う第１調節手段、及びドア又は窓の主面に対して直角方向の調整を行う第２調節手段とを備え、
上記第１調節手段が前記第１管状部分(２)に接続され、上記第２調節手段が上記第２管状部分(３;４３)に接続されており、
上記蝶番は、
第１調節手段が、ピン(４)に固定されるとともに上記第１管状部分(２)のキャビティ(２０)の内部で回転可能に係合されたカム(１２)を含んでおり、カム(１２)の回転によって、上記第１管状部分(２)及び第２管状部分(３;４３)の間でのみ相対的に移動し、その結果、ドア又は窓の主面に対して平行な方向に、上記固定枠(Ｍ)に対して上記可動枠(Ｆ)を移動させるように形成された相互接触面を、上記カム(１２)及び上記キャビティ(２０)が有し、
外部から制御可能な保持手段(２９)が、上記第１管状部分(２)と回転するような状態で上記カム(１２)を固定させるために設けられ、
上記カム(１２)及び上記第１管状部分(２)のキャビティ(２０)の間には、ピン(４)を挟んで互いに対向配置され、且つ、それらの相対的な角度位置にかかわらずカム(１２)とキャビティ(２０)とが相互に圧接する少なくとも２つの相互圧接領域(Ｄ,Ｅ)が存在し、
上記カム(１２)によって行われるドア又は窓の主面に対する平行方向への調節は、ドア又は窓の主面に対する直角方向への第２調節手段によって行われる調節に対して、機能的に影響を及ぼすことなく独立であることを特徴とする蝶番。
【請求項２】
ドア又は窓の主面に対して直交方向に配置されるとともにドア又は窓の主面に対して平行に延在する相互圧接領域(Ｂ,Ｃ）と、ドア又は窓の主面に対して平行に配置されるとともにドア又は窓の主面に対して直交方向に延在する相互圧接領域（Ｄ,Ｅ)と、があることを特徴とする、請求項１記載の蝶番。
【請求項３】
上記カム(１２)は、
ピンと同心であり、第１円弧状部分(１４)が短半径を有するとともに第２円弧状部分(１５)が長半径を有する、ピン(４)の軸(Ａ)の対向側にある一定半径の第１円弧状部分(１４）及び第２円弧状部分(１５)と、対向側にある上記第１円弧状部分(１４）及び第２円弧状部分(１５)を接続する、可変半径の第３円弧状部分(１６）及び第４円弧状部分(１７)とを備え、
上記キャビティ(２０)が、
ピン(４)の軸(Ａ)の対向側に位置するとともに、カム(１２)の上記第１円弧状部分(１４）及び第２円弧状部分(１５)の間の距離と略等しい距離で互いに離れている、略平らな第１円弧状セクション(２１）及び第２円弧状セクション(２２）を備え、
前記略平らな第１円弧状セクション(２１)が、その一定半径がカム(１２)の上記第１円弧状部分(１４)のそれと略等しい２つの円弧状セクション(２２’,２３)につながっており、
前記略平らな第２円弧状セクション(２２)は、可変半径がカム(１２)の上記第３円弧状部分(１６）及び第４円弧状部分(１７)の可変半径よりわずかに大きな２つの円弧状セクション(２４,２５)とつながっていることを特徴とする、請求項１記載の蝶番。
【請求項４】
キャビティ(２０)の一定半径の上記円弧状セクション(２２’,２３)と可変半径の上記円弧状セクション(２４,２５)との間には、中立の中央位置からいずれか一方の方向にキャビティ(２０)に対してその回転を制限するためにカム(１２)の第１円弧状部分(１４)と係合するように設計された２つの停止体(２６,２７)が存在することを特徴とする、請求項３記載の蝶番。
【請求項５】
上記保持手段は、上記カム(１２)の溝部分(１３)と係合するために上記第１管状部分(２)の側においてキャップ付き穴(３０)にネジ留めされたネジ部品(２９)を備えることを特徴とする、請求項３記載の蝶番。
【請求項６】
上記溝部分(１３)は、カム(１２)の可変半径の上記第３円弧状部分(１６)及び第４円弧状部分(１７)の輪郭に対応した輪郭を有することを特徴とする、請求項５記載の蝶番。
【請求項７】
上記カム(１２)は、ドライバ部材(Ｈ)と係合するための、外部からアクセス可能な軸方向終端座(２８)を有することを特徴とする、請求項１乃至６のいずれか１つに記載の蝶番。
【請求項８】
上記第１管状部分(２)及び第２管状部分(３;４３)の間にある上記第２調節手段は、上記第２管状部分(３;４３)に挿入されるとともに、上記ピン(４)が挿入される偏心円筒形状のキャビティ(５３)を有するスリーブ(３２;５０)を含んでおり、上記スリーブ(３２;５０)及び上記管状部分(３;４３)は、複数の異なった相対的な角度位置においてスリーブ(３２,５０)を固定可能位置にするために相互固定手段(３５,３６)を有することを特徴とする、請求項１乃至７のいずれか１つに記載の蝶番。
【発明の詳細な説明】
【０００１】
【発明の属する技術分野】
本発明は、１つの第１管状部分及び少なくとも１つの第２管状部分を備えるタイプの開閉ドア又は窓枠用蝶番に関する。管状部分の各々は、ドア又は窓の、可動枠及び固定枠のそれぞれにそれを固定する羽根部分と、それらが回転することができるように第１管状部分及び第２管状部分を連結するピンと、第１管状部分及び第２管状部分の間で、ドア又は窓の主面に対して平行方向の調整を行う第１調節手段及びドア又は窓の主面に対して直角方向の調整を行う第２調節手段とを備える。
【０００２】
【従来の技術】
そのような蝶番は、現在多数使用されており、金属セクションから成る枠を備えた比較的重いドアを備えたものを含む。他の類似した適用と同様にこの場合において、ドア又は窓の蝶番の第１管状部分及び第２管状部分を調節する過程、言いかえれば、可動枠と固定枠との間で管状部分を調節する過程は、ドア又は窓が閉じられるときに、ドア又は窓の可動枠を固定枠に対して正確に位置決めするために、極めて正確に実行されなければならない。
【０００３】
ドア又は窓の主面に対して直角方向に調節することの特別の目的は、理想的なシール圧縮量を達成して外部からものが入ることを確実に不可能にするために、２つの枠のうちの１つが通常備えているシール圧縮を調節することである。
【０００４】
しかしながら、ドア又は窓の主面に対する平行方向での調節機能は、ドア又は窓が設置されるときに、組立てのあらゆる構造上の欠陥あるいはエラーを補うために、ヒンジ結合した直立部分に沿った可動枠と固定枠との間のギャップを調節することである。
【０００５】
上述の調節手段は、それらが、できる限り、容易且つ素早く操作されるようにすることを基本的に要求する。これらの目的は、現在既知の解決方法においては完全に達成されておらず、特に可動枠と固定枠との間のギャップ調節については達成されていない。
【０００６】
ドクターハーン有限会社の名前のＥＰ-Ａ-０,４６７,１２２文書は、２つの管状部分のうちの１つのキャビティにおいて他方の内部に１つを挿入した２つの偏心スリーブの使用を提供している。そのスリーブによって、２方向のうちの１方向に調節を行った後、別方向に導入された調節エラーを除去することが可能となる。
【０００７】
この解決方法は、設置者が少しも簡単でない操作を実行することを要求することを除いて、ドア又は窓のギャップ調節の効果を制限する効果を有する。なぜならば、ドア又は窓の主面に対する平行平面における調節可能量が、小さいか又はとにかく固定サイズであるからである。
【０００８】
この視点から見た非常により効率的な解決方法は、国際特許出願番号ＷＯ８４/４１７２０に対応したイタリア実用新案出願番号ＴＯ９７Ｕ００００５５に出願者によって提案されている。それによれば、第１及び第２調節手段がお互いに独立し、第１調節手段が蝶番の上述の第１管状部分に機能的に接続され、第２調節手段が蝶番の上述の第２管状部分に機能的に接続されている。この既知の解決方法による第１調節手段は、ピンが第１管状部分における伸長セクションのキャビティに緩く挿入され、そのいずれか１つあるいは両方が同時に、外部ドライバツールを用いて調節可能な、１つ以上、好ましくは１対以上の対向するセットネジによって、ピンが、このキャビティ内において正反対方向へ移動することができるような配置を含んでいる。
【０００９】
それにもかかわらず、調節の容易さ及び素早さに関して以前言及した解決方法より非常に実際的かつ機能的であるが、この解決方法は比較的高価である。
【００１０】
ＥＰＡ-０８３７２０６から、ドア枠からドア羽根部分を揺動支持するための蝶番が知られている。ここで、第１調節手段は蝶番のピンと一体化されたカムを含んでおり、上述の第１管状部分のキャビティ内部で回転可能なように係合されている。カムは、第１管状部分のキャビティ内壁に設けられた対応するギザギザと協働するために設計されたギザギザ付き端部を備えたリテーナ弾性部材を有するピンの偏心セクションによって形成される。
【００１１】
このような配置調整は、徐々に且つ非連続に行なわれ、さらに、設置状態での調整位置の安定性は、あらゆる行為、影響の受け易さ、あるいはリテーナ弾性部材の破損に起因して、危険にさらされるかもしれない。
【００１２】
【発明が解決しようとする課題】
本発明の目的は、固定枠に対して可動枠を最も簡単に且つ効率的に且つ素早く調整するために形づくられた、上で規定したタイプの開閉ドア又は窓枠用蝶番を提供することである。その蝶番は、生産が十分に簡単且つ低費用である必要がある。そして、特に、ドア又は窓の主面に平行な方向の調節に関して、設置時における最大限の安定性を保証するために、十分に簡単且つ低コストである必要がある。
【００１３】
本発明の１つの特別な目的は、上に規定されたタイプの開閉ドア又は窓枠用の蝶番を提供することである。その蝶番は、ドア又は窓に取り付ける前の予備段階で一般に実行することができるドア又は窓の主面に対して直角に調節する際にいかなる種類の望ましくない結果無しに、直接サイト上にドア又は窓の主面に平行な方向に簡単な調節を可能にする。
【００１４】
【課題を解決するための手段及び作用・効果】
本発明によれば、この目的は請求項１に記載された特徴によって達成される。
【００１５】
本発明のさらに有利な特徴は、請求項２〜８において規定される。
【００１６】
【発明の実施の形態】
本発明は、添付図面を参照しながら詳細に記述される。それらは非限定的な実施例として提供される。
【００１７】
図１〜４をまず参照すると、参照番号１は、本発明に係る、開口ドア又は窓の枠用の蝶番に対する一般的な表示であり、特別であるが非排他的な重いドア用の蝶番に対する一般的な表示である。それは、他方の上に一方を軸方向に配置されるとともに、一般的な参照番号４を有するピンによって回転可能に接続された、第１管状部分２及び第２管状部分３を本質的に備える。
【００１８】
第１管状部分２は、それを固定可能にするための羽根部分５を備えた１部分である。ネジ６は、ドア又は窓の可動枠Ｆ(図５〜８)の支柱部分まで、穴７を通って挿入される。同様に、第２管状部分３は、それを固定可能にするための羽根部分８を備えた１部分である。ネジ９は、ドア又は窓の可動枠Ｍ(図５〜８)の対応する直立部分まで、穴１０を通って挿入される。
【００１９】
ピン４は、後で説明するように、第２管状部分３において回転する下部分１１を有している。ピン４の上部分は、本発明によれば、参照番号１２で一般的に示され、ピン４から分離可能な中空体によって普通に形成され、例えば、ドライバあるいは等価なシステムによってピン４の下部分１１のトップに強固に接続されたカムを備えてなる。
【００２０】
カム１２は、作用中の２つの輪郭、すなわち上部輪郭１２ａ及び下部輪郭１２ｂ、を備えてなり、中間の溝部分６によって分離されている。作用部分１２ｂの下方には、管状部分２の外側に環状フランジ５３がある。
【００２１】
カム１２の２つの作用部分１２ａ,１２ｂの各々は、図９及び図１０〜１２において非常に詳しく図示した特別且つ特有の配置を有する。両方の作用中の輪郭１２ａ,１２ｂに対して同一であるこの配置は、第１円弧状部分１４、及び第２円弧状部分１５を含んでいる。これらは、Ａでマークをしたピン４の軸の対向側にある。それらは同心である。両者は、一定半径を有している。第１円弧状部分１４は短い半径であり、第２円弧状部分１５は長い半径である。
【００２２】
第１円弧状部分１４及び第２円弧状部分１５は、可変半径の第３円弧状部分１６及び第４円弧状部分１７によって接続される。第１円弧状部分１４と、一方の第３円弧状部分１６及び他方の第４円弧状部分１７との間には、２つの窪み１８,１９がある。
【００２３】
図１０から分かるように、カム１２の中間の溝部分１３の輪郭は、作用中の輪郭１２ａ,１２ｂの第３及び第４円弧状部分１６,１７のそれに似ている。
【００２４】
カム１２が挿入される第１管状部分２のキャビティは、それがカム１２の作用中の輪郭１２ａ,１２ｂに対する前記配置に機能的に相補的であるように、さらに、特別且つ特有の配置を有している。特にそしてさらに図９を参照すると、一般な参照番号２０を有するこのキャビティは、ピン４の軸Ａの対向側に位置してかつ、カム１２のそれぞれの作用部分１２ａ,１２ｂの第１円弧状部分１４及び第２円弧状部分１５の間の距離に略等しい(実際にはわずかに大きい)距離によって互いに分離された第１円弧状セクション２１及び第２円弧状セクション２２を幾分有している。第１のセクション２１の端部は、その一定半径が、カム１２の作用部分１２ａ,１２ｂの第１円弧状部分１４のそれと略等しい(実際にはわずかに大きい)２つの円弧状セクション２２,２３につながっている。第２のセクション２２は、その可変半径が、カム１２の作用部分１２ａ,１２ｂの第２円弧状部分１６及び第３円弧状部分１７の可変半径よりわずかに大きな、２つの円弧状セクション２４,２５につながっている。一定半径２２,２３の円弧状セクション及び可変半径２４,２５の円弧状セクションの間には、くぼみ１８,１９と補い合う２つの内部突起２６,２７がある。
【００２５】
上述した特別の配置で、ピン４のカム１２のそれぞれの作用部分１２ａ,１２ｂ、及び第１管状部２のキャビティ２０の間に、あらゆる相対的な角度位置において、ピン４の正反対側上にペアで配置された、相互直接圧力あるいは反作用接触の少なくとも２以上の適切な４つの軸領域が常にあることに注意すべきである。領域Ｂ,Ｃの対は、ドア又は窓の主面に対して直角の正反対面において含まれており、領域Ｄ,Ｅの対は、ドア又は窓の主面に対して平行な正反対面において含まれている。この配置は、有効なガイドを保証し、デバイスがどのように調節されるかに関係無く、カム１２と管状部２との間で緩まないことを保証する。
【００２６】
カム１２とキャビティ２０との間の相対的な角度位置を修正するために、このカム１２は、ピン４の軸Ａと共軸にある中央穴２８を備える。その形が六角形ソケットレンチ・タイプの六角形のドライバキーを使用するために便利な六角形状であり、図５〜８にＨでマークをしている。
【００２７】
セットネジは２９で示され、好ましくは、六角形スロットが、第１管状部分２の側において貫通穴３０にネジ留めされる。ネジ２９の内部端は、カム１２の中間の溝部分１３に係合し、そして、その結果、ピン４が第１管状部分２に対して回転することを防止する。したがって、例えばあらゆる行為又はそれらの影響の受け易さに起因して、設置状態での調整位置の安定性に否定的に影響するかもしれない補助弾性位置決め部材を設ける必要はない。
【００２８】
上記配置にすると、六角形ソケットレンチＨは、ドア又は窓の平面に平行な方向に第２管状部分３に対して第１管状部分２の調節を実行するために使用することができる。言い換えれば、固定枠Ｍの直立部分と、可動枠Ｆの直立部分との間のギャップＬを調節するために、使用することができる。本発明は、別の可能な調節から独立してこのギャップＬを調節することを可能にする。その調節は、ドア又は窓の主面に垂直な方向における調節であり、後者の調節に決して影響を及ぼすことなく調節することを可能にする。これは、上記配置に起因して、ドア又は窓の主面に平行な方向に固定枠Ｍに対して可動枠Ｆのみの移動によってギャップＬの調節が生じるという事実の直接的な結果である。
【００２９】
図６及び９は、図７,１１及び８,１２のそれぞれにおいて図示された、２つの終端状態の間での中間調節の中立状態を示す。Ｌが例えば約５mmのオーダーであるギャップに対応したこの中間状態において、六角形ソケットレンチＨはドア又は窓の主面に対して直角である。この条件では、カム１２がキャビティ２０に関してそれぞれ中央にあり、接触領域Ｂ及びＣが水平なセクション２１,２２の中心ラインにそれぞれ対応し、接触領域Ｄ,Ｅが停止突起２６,２７の近くにそれぞれ位置する。
【００３０】
ソケットレンチＨを右回りに回すことは、図７及び１１に示される終端位置を与える。それは、最大可能なギャップＬ(例えば約７mm)に対応する。例えば、略４０°の角度Ｓで回転すると、くぼみ１９が停止突起２７に対して係止することになる。接触領域Ｂ,Ｃ及びＤ,Ｅは、上述された終端位置に関する限り全回転にわたって維持される。
【００３１】
しかしながら、同じ角度Ｓによって左回りにソケットレンチＨを回すことによって、くぼみ１８が停止突起２６に合致する、図８及び１２に示される終端位置になる。これによって、ギャップＬが約３mmまで低減し、接触ポイントＢ,Ｃ及びＤ,Ｅは、再び全回転にわたって維持される。
【００３２】
好ましくは、調節度合いの瞬間的な視覚チェックを与える位置指示装置としても役立つソケットレンチＨは、もちろん、上記の２つの終端位置の間であらゆる中間位置において、停止可能である。必要に応じて、調節の範囲は、したがって、好ましくは、図６及び９において示される中央の位置から±２mmの間で連続的に可変である。
【００３３】
一旦、ドア又は窓が所望の位置にあるならば、図示したように、ピン４がロックされ、図９で示した中央位置に関連した図１０で示した方法でセットネジ２９の中でネジ留めすることによって、第１管状部分２に対する回転が防止される。
【００３４】
ドア又は窓の主面に対する垂直方向への第１管状部分２と第２管状部分３との間の調節、言いかえれば、可動枠Ｆと固定枠Ｍとの間の圧力調節は、第２管状部分３のキャビティに挿入されたスリーブ３２によってそれ自身既知の方法（上記のイタリアの実用新案新案番号ＴＯ９７Ｕ００００５５に記述されている)でなされる。
【００３５】
通常、低摩擦係数の自己潤滑性プラスチックからなるこのスリーブ３２は、ピン４の下部分１１が挿入されるとともに、回転可能な偏心円筒キャビティ３３を含んでいる。スリーブ３２の外面に対するキャビティ３０の偏心性は、例えば、約１mmのオーダーにすることができる。
【００３６】
スリーブ３２は、第２管状部分３の上部端に位置する環状フランジ３４をその上部端に有している。そして、管状部分中での一連の内部の縦方向のスプライン３６に係合するように設計された軸方向の鍵状の１つ以上(好ましくは３つである)の突起３５を外部に有している。
【００３７】
組立て中に、鍵状体（固定手段）３５は、可動枠Ｆと固定枠Ｍとの間の圧力の所望の程度が対応するスプライン３６に挿入される。明らかに、ドア又は窓の製造者によって通常行なわれるこの設置は、スリーブ３２のキー３５を最適な角度位置に配置することにより設置者によって修正される。
【００３８】
蝶番１は、スリーブ３２の垂直位置及びしたがってピン４の高さを変えるために、第２管状部分３の下部端にあるネジ付き穴に係合するネジ部品３８によって完成する。
【００３９】
カバー３９,４０は、それぞれ、それらの各固定ネジ６及び９をカバーするために管状部２,３の羽根部分５及び８に対して固定される。そして、保護キャップ４１,４２は、第１の管状部要素２のトップ及び第２の管状部要素３のベースに対して取り外し可能なように取り付けられる。
【００４０】
本発明は、さらに、ドア又は窓の固定枠Ｍに対して固定する、１つではなく２つの管状部分を有する蝶番に適用することができる。この種の変形例は、図１３及び１４(既述されたものと同一又は類似の部分には同じ参照番号を付与している)に示されている。この変形例において、番号１'によって全体として示された蝶番は、ドア又は窓の固定枠Ｍに対して、穴４５によって、固定するための一体化された羽根部分４４と、関連したカバー４６とを備えた別の第２管状部分４３を含んでいる。ここで、蝶番１'のピンは２分割され、スリーブ３２の内部で回転可能に係合した下部ピン部分４７と、スリーブ３２に似たスリーブ５０の偏心キャビティ４９の内部で回転可能に係合した上部ピン部分４８とを含んでいる。後者と比較して逆になっており、管状部分４３のキャビティ５１においてぴったりと(正確にはスリーブ３２と同じ方法で)挿入された。
【００４１】
２つのピン部分４７,４８は、第１管状部分２のキャビティ２０の内部に位置するカム１２に堅く接続される、カム１２の形状、及びキャビティ２０のそれは、まさに既述のものと同じである。そしてもう一度、カム１２は、セットネジ２３と同一のセットネジ(図１３及び１４には不図示)によって管状部分２に対する回転を防止することができる。
【００４２】
管状部分２に対するカム１２の回転については、キャップ４１を除去した後に、軸受筒５０を通る通路５２によって六角形ソケットレンチＨを受け入れるために、ピン部品４８の上部端は、穴２８に似た六角形の軸方向穴となっている。
【００４３】
ここに、再び、カム１２の回転によって、管状部分２に対して管状部分３,４６が移動し、従って、ドア又は窓の主面に平行な固定枠Ｍに対して可動枠Ｆが移動する。可動枠と固定枠との間でのギャップの調節は、この実施形態と共に、スリーブ３２,５０を移動させることにより実行されるように、ドア又は窓の主面に対して垂直方向にある可動枠と固定枠との間での圧力調節に完全に無関係であり且つ影響を受けない。
【００４４】
明らかに、構造の詳細及び実施形態の記載内容は、請求項において規定される本発明の範囲から逸脱することなく変更可能である。
【図面の簡単な説明】
【図１】  本発明に係る開閉ドア又は窓枠用蝶番の模式正面図である。
【図２】  図１の平面図である。
【図３】  図２の中でマークされた、III-III線に沿って切り取られた縦断面である。
【図４】  蝶番の分解組立て斜視図である。
【図５】  図１〜４に係る蝶番を備えたドア又は窓枠におけるギャップが、どのようにして調節されるかの例を示す、部分分解組立て斜視図である。
【図６】  枠ギャップ調節の異なった状態における、図１のトップダウン平面図を示す。
【図７】  枠ギャップ調節の異なった状態における、図１のトップダウン平面図を示す。
【図８】  枠ギャップ調節の異なった状態における、図１のトップダウン平面図を示す。
【図９】  図６で示された調節状態に対応する、図３の中でマークされたIX-IX線に沿って切り取られた、横断面の且つ拡大スケールの図である。
【図１０】  図９に示される調節状態において、図３でマークされたX-X線に沿って切り取られた、横断面の且つ拡大スケールの図である。
【図１１】  図７に対応する調節状態における図９に似ている図である。
【図１２】  図８に対応する調節状態における図９に似ている図である。
【図１３】  蝶番の変形例の斜視図である。
【図１４】  図１３において示された蝶番を通る縦断面における図である。
【符号の説明】
２  第１管状部分
３  第２管状部分
４  ピン
９  ネジ
１２  カム
１２ａ,１２ｂ  輪郭
１４  第１円弧状部分
１５  第２円弧状部分
１６  第２円弧状部分
１７  第３円弧状部分
１８  くぼみ
２０  キャビティ
２１  第１円弧状セクション
２２  第２円弧状セクション
２９  セットネジ
２６,２７  停止突起
３０  貫通穴
３２  スリーブ
３６  スプライン
Ｆ  可動枠
Ｈ  ソケットレンチ
Ｍ  固定枠
【図１】
0004022361.tif 000002
【図２】
0004022361.tif 000003
【図３】
0004022361.tif 000004
【図４】
0004022361.tif 000005
【図５】
0004022361.tif 000006
【図６】
0004022361.tif 000007
【図７】
0004022361.tif 000008
【図８】
0004022361.tif 000009
【図９】
0004022361.tif 000010
【図１０】
0004022361.tif 000011
【図１１】
0004022361.tif 000012
【図１２】
0004022361.tif 000013
【図１３】
0004022361.tif 000014
【図１４】
0004022361.tif 000015